(57)【要約】【課題】装置の上部筐体を透過して放出されるノイズ音および装置の吸気口・排気口から放出されるノイズ音を低減できる投写型映像表示装置を提供する。【解決手段】この投写型映像表示装置１は、吸気口３ａおよび排気口を有し、投写型映像表示系２を収容する下部筐体３と、下部筐体３の上面に配設されて上部側最外面となる上部筐体外郭部４と、上部筐体外郭部４と略同一形状に形成され、上部筐体外郭部４との間に略全域に渡って所定間隔を保つ様にして上部筐体外郭部４の内側に配置される上部筐体内郭部５と、下部筐体３の吸気口３ａの前側に配設され、吸気口３ａに対向する開口部６ｃとその開口部６ｃの開口面を細分化する複数のフィン６ｄとを有する吸気口側筐体６と、下部筐体３の前記排気口の前側に配設され、前記排気口に対向する開口部７ｃとその開口部７ｃの開口面を細分化する複数のフィン７ｄとを有する排気口側筐体７とを備える。【選択図】図１
2010066563.tif 000002
【特許請求の範囲】
【請求項１】
吸気口および排気口を有し、投写型映像表示系を収容する上面開放の下部筐体と、
前記下部筐体の上面に配設されて上部側最外面となる上部筐体外郭部と、
前記上部筐体外郭部と略同一の形状に形成され、前記上部筐体外郭部との間にその略全域に渡って所定間隔を保つ様にして、前記上部筐体外郭部の内側に配置される上部筐体内郭部と、
前記下部筐体の前記吸気口の前側に配設され、前記吸気口に対向する開口部と、その開口部の開口面を細分化する複数のフィンとを有する吸気口側筐体と、
前記下部筐体の前記排気口の前側に配設され、前記排気口に対向する開口部と、その開口部の開口面を細分化する複数のフィンとを有する排気口側筐体と、
を備えることを特徴とする投写型映像表示装置。
【請求項２】
前記吸気口側筐体および前記排気口側筐体の各々の前記複数のフィンは、少なくとも、上下方向に互いに間隔を空けて配置された複数の水平フィンを有し、
前記複数の水平フィンの各前端は、下側の水平フィンほど後退して配置されることを特徴とする請求項１に記載の投写型映像表示装置。
【請求項３】
前記複数の水平フィンの奥行きの長さは、上側の水平フィンほど長く形成されることを特徴とする請求項２に記載の投写型映像表示装置。
【発明の詳細な説明】
【技術分野】
【０００１】
本発明は、投写型映像表示装置の筐体構造に関するものである。
【背景技術】
【０００２】
近年、ハイビジョン放送やブルーレイディスクを用いた映画ソフト等のような高画質のソースの普及が進んでおり、プロジェクタも高画質対応のものが多く発表されている。これら高画質プロジェクタを使用するユーザーは、シアタールームと呼ばれるような音響設備も整えた環境で、映像のみならず臨場感ある音も楽しんでいる場合が多い。そのため高画質プロジェクタでは、動作音や冷却ファン駆動音などのノイズ音が少ない事、即ち静音性といった性能も求められている。
【０００３】
一方、機器の性能や寿命を確保する上で何らかの冷却手段を設ける事は必須であり、必要な冷却能力を安価に実現するために冷却ファンの使用は避け難い。更にプロジェクタの高輝度化・高画質化の流れの中で、ランプ光源や電子回路からの発熱量が増加傾向にある。よって冷却ファンを低回転で駆動するのも限界があるため、冷却ファンの動作音などのノイズ音の低減は容易ではない。またプロジェクタ動作時には、冷却ファン以外にモータの駆動音や電磁音などの動作音も加わる。これらのノイズ音を如何に低減するかは重要な課題である。
【０００４】
そこで、従来より様々な防音対策が採られてきた。例えば冷却を必要とする部品単位でノイズ音を低減する手法がある（例えば特許文献１）。また、装置底部にノイズ発生源となる冷却ファンを配置し、且つ装置底部を二重構造にしてノイズ音を低減する手法がある（例えば特許文献２）。
【０００５】
【特許文献１】特開２００２−２１４６９５号公報
【特許文献２】特開２００５−２７４７３１号公報
【発明の開示】
【発明が解決しようとする課題】
【０００６】
特許文献１の様な部品単位での防音対策では、それを実施するために各部品が大型化してしまう。実際の装置ではノイズ音の発生源となる部品が複数あり、且つそれら発生源が装置内の一箇所に集まっているとは限らず、多くの場合、装置内部の様々な場所に点在している。そのため、装置内部の様々な場所で防音対策の為のスペースを必要とし、部品の効率的な配置や装置全体の小型化を図るという点で不利であった。
【０００７】
また特許文献２の様にノイズ発生源となる冷却ファンを装置底部に配置し、更に装置底部を二重構造にするのは、確かに有効な手法ではある。しかし実使用環境では、何らかの台上に装置を置いて使用する事が多い。その場合、装置底面から僅かの隙間を空けて台の天板が存在するため、装置底面からのノイズ音は、ユーザーにとってあまり耳障りではない。むしろ装置上部の筐体を透過して放出されるノイズ音や、多くの場合、装置側面に設けられた吸気口・排気口から放出されるノイズ音の方が、ユーザーにとって遥かに耳障りとなり、それらのノイズ音に対する防音対策が重要である。
【０００８】
この発明の課題は、上記のような問題点を解決するためになされたものであり、装置の上部筐体を透過して放出されるノイズ音および装置の吸気口・排気口から放出されるノイズ音を低減できる投写型映像表示装置を提供することを目的とする。
【課題を解決するための手段】
【０００９】
上記課題を解決する為に、本発明の第１の態様は、吸気口および排気口を有し、投写型映像表示系を収容する上面開放の下部筐体と、前記下部筐体の上面に配設されて上部側最外面となる上部筐体外郭部と、前記上部筐体外郭部と略同一の形状に形成され、前記上部筐体外郭部との間にその略全域に渡って所定間隔を保つ様にして、前記上部筐体外郭部の内側に配置される上部筐体内郭部と、前記下部筐体の前記吸気口の前側に配設され、前記吸気口に対向する開口部と、その開口部の開口面を細分化する複数のフィンとを有する吸気口側筐体と、前記下部筐体の前記排気口の前側に配設され、前記排気口に対向する開口部と、その開口部の開口面を細分化する複数のフィンとを有する排気口側筐体と、を備えるものである。
【発明の効果】
【００１０】
本発明の第１の態様によれば、上部筐体が、互いにそれらの略全域に渡って所定間隔を空けて配置された上部筐体外郭部と上部筐体内郭部とにより構成されるので、上部筐体での音響透過損失を高める事ができ、上部筐体を透過して放出されるノイズ音を低減できる。
【００１１】
また吸気口側筐体および排気口側筐体の各々の複数のフィンにより実質的に吸気口および排気口の各々の開口面が細分化されるので、吸気口および排気口の防音効果を高める事ができ、吸気口および排気口からのノイズ音を低減できる。また複数のフィンの壁面での反射によるノイズ減衰効果によっても防音効果を高める事ができる。
【発明を実施するための最良の形態】
【００１２】
実施の形態１．
図１は、実施の形態１に係る投写型映像表示装置の分解斜視図の一例図である。
【００１３】
この投写型映像表示装置１は、図１の様に、光学エンジン等の部品から成る投写型映像表示系２と、投写型映像表示系２が収容される下部筐体３と、装置１の上部側最外面となる上部筐体外郭部４と、上部筐体外郭部４の内側に配置される上部筐体内郭部５と、装置１の吸気口の外側に配される吸気口側筐体６と、装置１の排気口の外側に配される排気側筐体７とを備えている。上部筐体外郭部４と上部筐体内郭部５とにより上部筐体が構成されている。
【００１４】
下部筐体３、上部筐体外郭部４、上部筐体内郭部５、吸気口側筐体６および排気側筐体７は、例えばプラスチックなどの樹脂または金属などにより形成されている。
【００１５】
下部筐体３は、上面開放の箱状に形成されている。下部筐体３の一側面３Ｌには、吸気口３ａが形成されると共に、例えばその一側面３Ｌの周縁に沿って吸気口側筐体６の後述の周壁６ａが嵌合する嵌合溝３ｂが形成されている。また同様に、下部筐体３の他側面（例えば一側面３Ｌの反対側の面）３Ｒには、排気口（不図示）が形成されると共に、例えばその他側面３Ｒの周縁に沿って排気口側筐体７の後述の周壁７ａが嵌合する嵌合溝（不図示）が形成されている。
【００１６】
また下部筐体３の開放上面の周縁３ｄの内側には、例えば、上部筐体外郭部４を固定するための係止爪３ｅが複数形成されている。また下部筐体３の開放上面の周縁３ｄの更に内側には、例えば、上部筐体内郭部５をネジ止めするための筒状のボス部３ｆが複数形成されている。
【００１７】
この下部筐体３の前面の上辺には、凹状のレンズ配置部３ｃが形成されており、そのレンズ配置部３ｃに投写型映像表示系２のレンズ部２ａが配置される様にして、下部筐体３内に投写型映像表示系２が収容配設されている。
【００１８】
上部筐体外郭部４は、例えば下面開放の深さの浅いケース状に形成されており、その下面の周縁４ａは、下部筐体３の上面の周縁３ｄに組み合う様に形成されている。
【００１９】
また上部筐体外郭部４の周縁４ａの内側面には、下部筐体３の係止爪３ｅと係合する係合部（不図示）が形成されている。そして、上部筐体外郭部４が下部筐体３の上面に組み付けられると、上部筐体外郭部４の前記係合部と下部筐体３の係止爪３ｅとが係合して、上部筐体外郭部４が下部筐体３に固定される様になっている。
【００２０】
上部筐体内郭部５は、上部筐体外郭部４と略同一形状に形成されており、その下面の周縁５ａは、下部筐体３の上面の周縁３ｄの内側に配置する様に形成されている。また上部筐体内郭部５には、下部筐体３の各ボス部３ｆに対応する様に、ネジ止め用の孔５ｂが複数形成されている。そして上部筐体内郭部５が下部筐体３の上面に組み付けられた状態で、上部筐体内郭部５の各孔５ｂを介して下部筐体３の各ボス部３ｆにネジ（不図示）をネジ込むことで、上部筐体内郭部５が下部筐体３に固定される様になっている。
【００２１】
上部筐体内郭部５および上部筐体外郭部４が下部筐体３に配設された状態では、上部筐体内郭部５は、上部筐体外郭部４の内側において、上部筐体外郭部４の略全域に渡って上部筐体外郭部４と所定間隔を保って配置されている。この様な上部筐体内郭部５および上部筐体外郭部４の２重構造により、装置１の上部の略全域で音響透過損失のムラが無くなり、装置１内の或る部位から発生したノイズ音が装置１の上部から漏れる事が防止される。
【００２２】
吸気口側筐体６は、下部筐体３の一側面３Ｌの表面を構成する側面部６ｂを有する。側面部６ｂには、吸気口３ａに対向する開口部６ｃが形成されており、側面部６ｂの裏面には、開口部６ｃを囲む様に周壁６ａが形成されている。開口部６ｃ内には、開口部６ｃの開口面を細分化するための複数のフィン（６ｄなど）が形成されている。
【００２３】
ここでは、その様なフィンとして、水平に延びた平板状の水平フィン６ｄが上下方向に間隔を空けて複数配置されると共に、垂直に延びた平板状の垂直フィン（不図示）が左右方向に間隔を空けて水平フィン６ｄと交差する様に複数配置されている。これら水平フィン６ｄおよび垂直フィンは、例えばそれらの両端が周壁６ａの内側面に固定されて配設されている。
【００２４】
これら水平フィンおよび垂直フィンにより開口部６ｃ（従って吸気口３ａ）の開口面が細分化されることによる吸気口３ａの開口断面積の変化や、水平フィンおよび垂直フィンの壁面での反射による減衰効果により、吸気口３ａからのノイズ音に対する防音効果が高められている。
【００２５】
この吸気口側筐体６は、その周壁６ａが下部筐体３の嵌合溝３ｂに嵌合されて、下部筐体３の側面３Ｌに配設される。
【００２６】
排気口側筐体７も、吸気口側筐体６と同様に形成されている。即ち排気口側筐体７は、下部筐体３の一側面３Ｒの表面を構成する側面部７ｂを有する。側面部７ｂには、排気口（不図示）に対向する開口部７ｃが形成されており、側面部７ｃの裏面には、開口部７ｃを囲む様に周壁７ａが形成されている。開口部７ｃ内には、開口部７ｃの開口面を細分化するための複数のフィン（７ｄなど）が形成されている。
【００２７】
ここでは、その様なフィンとして、水平に延びた平板状の水平フィン７ｄが上下方向に間隔を空けて複数配置されると共に、垂直に延びた平板状の垂直フィン（不図示）が左右方向に間隔を空けて水平フィン７ｄと交差する様に複数配置されている。これら水平フィン７ｄおよび垂直フィンは、例えばそれらの両端が周壁７ａの内側面に固定されて配設されている。
【００２８】
これら水平フィンおよび垂直フィンにより開口部７ｃ（従って前記排気口）の開口面が細分化されることによる前記排気口の開口断面積の変化や、水平フィン７ｄおよび垂直フィンの壁面での反射による減衰効果により、前記排気口（不図示）からのノイズ音に対する防音効果が高められている。
【００２９】
この排気口側筐体７は、その周壁７ａが下部筐体３の他側面３の前記嵌合溝に嵌合されて下部筐体３の側面３Ｒに配設される。
【００３０】
以上の様に構成された投写型映像表示装置１によれば、上部筐体が、互いにそれらの略全域に渡って所定間隔を空けて配置された上部筐体外郭部４と上部筐体内郭部５とにより構成されるので、上部筐体での音響透過損失を高める事ができ、上部筐体を透過して放出されるノイズ音を低減できる。
【００３１】
また吸気口側筐体６および排気口側筐体７の各々の複数のフィン（６ｄ，７ｄなど）により実質的に吸気口３ａおよび排気口（不図示）の各々の開口面が細分化されるので、吸気口３ａおよび排気口の防音効果を高める事ができ、吸気口３ａおよび排気口からのノイズ音を低減できる。また複数のフィン（６ｄ，７ｄなど）の壁面での反射によるノイズ減衰効果によっても防音効果を高める事ができる。
【００３２】
実施の形態２．
この実施の形態では、実施の形態１の吸気口側筐体６および排気口側筐体７について更に詳細に説明する。図２は、図１のII-II断面での吸気口側筐体６の断面図である。
【００３３】
吸気口側筐体６は、図２の点線Ｂの様に、側面部６ｂの形状がその上側から下側に行くに連れて内側に湾曲する様に形成されている。
【００３４】
これに伴ってこの吸気口側筐体６では、各水平フィン６ｄの前端位置が側面部６ｂの湾曲に合わせて上側のフィン６ｄａから下側のフィン６ｄｂに行くに連れて後退すると共に、各水平フィン６ｄの奥行きＷが上側のフィン６ｄａから下側のフィン６ｄｂに行くに連れて短く形成されている。
【００３５】
この様に下側の水平フィン６ｄほどその前端位置が後退することで、埃が上方から落ちてきた時に、下側の水平フィン６ｄの位置ほど埃を吸い込み難くなり、これにより下側の水平フィン６ｄの位置ほど、後述のフィルタ群９に埃が貯まり難くなる。
【００３６】
また上側の水平フィン６ｄほど奥行きＷが長いので、上側の水平フィン６ｄほど、埃を吸い込んだ際、その埃はフィルタ群９に到達する前に水平フィン上に着地し易くなり、フィルタ群９に到達する埃を低減できる。これにより、上側の水平フィン６ｄほど、後述のフィルタ群９に埃が貯まる事を低減できる。
【００３７】
また各水平フィン６ｄでは、その前端はその後端よりも装置１内の吸気ファンから離れているので、その前端付近での吸気の風速Ｖ１は、その後端付近（即ちフィルタ群９の直前）での吸気の風速Ｖ２よりも小さい（即ちＶ２＞Ｖ１）。また上側の水平フィン６ｄほど、その奥行きの長さＷは大きくなるので、上側の水平フィン６ｄほど、その前端付近での吸気の速度Ｖ１は小さくなる。これらの理由により、上側の水平フィン６ｄほど、その前端付近の埃は吸気により吸い込まれ難くなり、フィルタ群９に埃が貯まる事を低減できる。
【００３８】
この点について従来の吸気口側筐体と比較するために、従来の吸気口側筐体について説明する。図３は、図２に対応する従来の吸気口側筐体１０６の断面図である。
【００３９】
従来の吸気口側筐体１０６は、図３の様に、側面部１０６ｂに吸気口に対向する開口部１０６ｃを有し、その開口部１０６ｃ内に、その開口面を細分化するための複数のフィン（例えば複数の水平フィン１０６ｄ）が配設されており、その開口部１０６の後側には、埃を吸着するためのフィルタ１０９が配置されている。
【００４０】
従来の吸気口側筐体１０６では、図３の様に、各水平フィン１０６ｄの奥行きの長さＬが本願の各水平フィン６ｄよりもかなり短いので、各水平フィン１０６ｄの前端付近の埃はＶ２並みの風速Ｖ３により吸い込まれ、これによりフィルタ１０９に埃が貯まり易くなる。また従来の吸気口側筐体１０６では、図３の様に、各水平フィン１０６の前端位置は垂直状に並んでいるので（即ちこの実施の形態の様に下側の水平フィン６ｄほどその前端位置が後退していないので）、埃が上方から落ちてくると、下側の水平フィン１０６の位置でも埃が吸い込まれてフィルタ１０９に埃が貯まり易くなる。この様に、従来の吸気口側筐体１０６よりも本願の吸気口側筐体６の方が、フィルタ９に埃が貯まり難くなっている。
【００４１】
またこの吸気口側筐体６では、例えば、各垂直フィン６ｚの前端も、側面部６ｂの湾曲に合わせて、その上部側から下部側に行くに連れて後方に湾曲する様にされている。
【００４２】
またこのこの吸気口側筐体６では、上述の通り、各水平フィン６ｄおよび垂直フィン６ｚの後側に、埃を吸着するためのフィルタ群９が配置されている。このフィルタ群９は、２枚のフィルタ９ａ，９ｂと、各フィルタ９ａ，９ｂの間に配置されたスペーサ９ｃとから構成されている。前側のフィルタ９ａは、一般的なウレタンフォームからなり、ゴミを粗取りするためのものである。後側のフィルタ９ｂは、静電気を帯電させたフィルタであり、フィルタ９ａを通過したゴミを静電気の引力で吸着するものである。またスペーサ９ｃにより各フィルタ９ａ，９ｂ間の間隔を保つことで、低圧損・高捕集を実現している。
【００４３】
排気口側筐体７も、吸気口側筐体６と同様に、側面部７ｂが下側に行くほど内側に湾曲し、それに伴って下側の水平フィン７ｄほど、その前端位置が後退して配置されており、また上側の水平フィン７ｄほど、その奥行きの長さが長く形成されている。
【図面の簡単な説明】
【００４４】
【図１】実施の形態１に係る投写型映像表示装置１の分解斜視図の一例図である。
【図２】図１の吸気口側筐体７の断面図である。
【図３】従来の吸気口側筐体の断面図である。
【符号の説明】
【００４５】
１  投写型映像表示装置、２  投写型映像表示系、２ａ  レンズ部、３  下部筐体、３ａ  吸気口、３ｂ  嵌合溝、３ｃ  レンズ配置部、３ｄ  上面の周縁、３ｅ  係止爪、３ｆ  ボス部、３Ｌ  一側面、４  上部筐体外郭部、４ａ  下面の周縁、５  上部筐体内郭部、５ａ  下面の周縁、５ｂ  ネジ止め用の孔、６  吸気口側筐体、６ａ  周壁、６ｂ  側面部、６ｃ  開口部、６ｄ  水平フィン、７  排気口側筐体、７ａ  周壁、７ｂ  側面部、７ｃ  開口部、７ｄ  水平フィン、９  フィルタ群、９ａ，９ｂ  フィルタ、９ｃ  スぺーサ。
【図１】
2010066563.tif 000003
【図２】
2010066563.tif 000004
【図３】
2010066563.tif 000005